(57)【要約】【課題】洗濯物を取り付け及び取り外しを行う際に挟持体の開閉操作が容易であり、効率良く洗濯物の着脱作業を行うこと。【解決手段】挟持体を開放状態で保持する機構を設けて洗濯物等を挟持するための間隙を保つ事ができるようにし、更に当該機構に洗濯物を押し当てることで挟持体を開放状態から閉鎖状態に移行できるようにした。【選択図】図２
2014200651.tif 000002
【特許請求の範囲】
【請求項１】
フレームに回転可動に設置された挟持体の先端部に形成された可動挟持面と、可動挟持面と対向して略鉛直方向となるようにフレームに形成された固定挟持面との間隙を挟持体に対する付勢により狭めることで前記間隙に挟まれた洗濯物の自重により生じる応力により洗濯物を挟持するハンガーにおいて、フレームに略鉛直方向に可動に設置された開放保持器を備え、開放保持器は可動方向と略平行となる開放保持器当接面を有し且つ挟持体が開放状態にあるとき鉛直下方向から洗濯物を押し当てるための下端部を有し、挟持体は開放状態にあるとき開放保持器の略鉛直方向の移動により開放保持器当接面と接離可能となるように配置された挟持体当接面を有し、開放保持器当接面と挟持体当接面が互いに当接する事により前記間隙を一定とする開放状態を保持し、前記下端部に洗濯物を押し当てる事により開放状態を解除し前記間隙を狭めて閉鎖状態に移行する事を特徴とする物干しハンガー。
【請求項２】
請求項１の発明において、開放保持器は挟持体に回転可動に設置され、可動方向と略平行となる開放保持器当接面を有し且つ挟持体が開放状態にあるとき鉛直下方向から洗濯物を押し当てるための下端部を有し、フレームは挟持体が開放状態にあるとき開放保持器の略鉛直方向の移動により開放保持器当接面と接離可能となるように配置されたフレーム当接面を有し、開放保持器当接面とフレーム当接面とが互いに当接する事により開放状態を保持する事を特徴とする物干しハンガー。
【発明の詳細な説明】
【技術分野】
【０００１】  本発明は、物干し竿等に洗濯物を吊り下げるために用いる衣類用物干しハンガーに関するものである。
【背景技術】
【０００２】  複数の挟持体を具備して複数の洗濯物を一度に外せるハンガーにおいて，個々の挟持体のバネの応力のみで洗濯物を挟持するためにバネの力が強く，これら複数の挟持体を一括して開放状態にするためには大きな力を必要としていた。【０００３】  そこで、このような不都合を解消するために、僅かな力でも同時に複数の挟持体の開放操作を行うことができる洗濯物ハンガーとして、特許文献１では洗濯物自体の重量を洗濯物を挟持するための応力として利用することで、一括して洗濯物を外すための作動力を低減したハンガーを示している。
【先行技術文献】
【特許文献】
【０００４】
【特許文献１】  実登第３０２０５４０号公報
【発明の概要】
【発明が解決しようとする課題】
【０００５】  図１において挟持体３は回転軸を中心としてフレーム１に回転可動に設置されており、挟持体３の先端部に形成された可動挟持面４とフレーム１に固定設置された固定挟持面２との間隙に洗濯物を挟持する場合において挟持体３の回転軸の中心と可動挟持面４が洗濯物等の懸架物と接する点とを結ぶ線分と固定挟持面上の鉛直方向の線分が作る鉛直方向下側の角度を挟持角度とすると以下の理由により当該挟持角度の大きさにより洗濯物を懸架できない場合が有る。【０００６】  可動挟持面４には洗濯物の荷重により鉛直方向下側に応力が加わるが当該応力は可動挟持面４が洗濯物等の懸架物と接する点から挟持体３の回転軸の中心に向かう成分と固定挟持面２に対して垂直の成分（挟持力）とに分解される。当該挟持力は挟持角度が９０度未満で且つ最大の時に最大となり、この時に挟持できる荷重は最大となる。【０００７】  即ち当該挟持角度が小さくなるに従い挟持力は減少し懸架できる荷重も小さくなり、挟持角度が或る角度以下では洗濯物を懸架できない状態になる。【０００８】  前記の理由のため洗濯物がタオル生地のように厚手の素材の場合は挟持角度が小さくなり懸架できない場合が有る。この場合、懸架できるようにするためには挟持体にバネ等による応力を与えて洗濯物の素材を押圧して薄くし、挟持角度を大きくする必要が有る。【０００９】  しかるに洗濯物をハンガーに挟持させるために挟持体の下面に洗濯物を押し当てて挟持するための間隙を作ろうとすると、前記バネの応力に抗する力が必要となりハンガー自体を押し上げてしまい、挟持するための間隙を作ること自体が困難であった。このため洗濯物を両手で掴みながらフレームを手指で押さえる必要が有り作業性は良くなかった。【００１０】本発明は上記のような不都合を排除し洗濯物を懸架する作業を容易ならしめる事を目的とする。
【課題を解決するための手段】
【００１１】  挟持体を開放状態で保持する開放保持器を設けて洗濯物を挟持するための間隙を一定に保つ事ができるようにし、更に当該開放保持器に洗濯物を押し当てることで挟持体を開放状態から閉鎖状態に移行できるようにした。【００１２】  請求項１の発明において開放保持器はフレームに対して略鉛直方向に回転可動または直線可動に設置されており、当該可動方向と平行な開放保持器当接面を備えている。【００１３】  挟持体は開放状態にあるとき略鉛直方向の開放保持器の移動により開放保持器当接面と接離可能となるように配置された挟持体当接面を有し、挟持体が開放状態にあるとき開放保持器当接面は持体当接面と当接している。【００１４】  このとき挟持体はバネ等により挟持体に設けられた挟持体挟持面とフレームに形成された固定挟持面が狭まる方向に付勢されているが挟持体当接面が開放保持器当接面に与える応力は開放保持器の可動方向と略直交しているため開放保持器は移動せず、従って挟持体も移動しないので洗濯物を挟持するための間隙を一定に保つことができる。【００１５】  開放保持器の下端部に洗濯物を押し当てると開放保持器当接面は開放保持器の可動方向と略並行であるため鉛直上方向に移動し、挟持体当接面との当接が解除され閉鎖状態に至る事で洗濯物を挟持する。【００１６】  請求項２の発明において開放保持器は挟持体に対して回転可動に設置されており、当該可動方向と平行に形成された開放保持器当接面を備えている。【００１７】  フレームは挟持体が開放状態にあるとき略鉛直方向の開放保持器の移動により開放保持器当接面と接離可能となるように配置されたフレーム当接面を有し、挟持体が開放状態にあるとき開放保持器当接面はフレーム当接面と当接している。【００１８】  このとき挟持体はバネ等により挟持体に設けられた挟持体挟持面とフレームに形成された固定挟持面が狭まる方向に付勢されているが開放保持器当接面がフレーム当接面に与える応力は開放保持器の可動方向と略直交しているため開放保持器は移動せず、従って挟持体も移動しないので洗濯物を挟持するための間隙を一定に保つことができる。【００１９】  開放保持器の下端部に洗濯物を押し当てると開放保持器当接面は開放保持器の可動方向と略並行であるため鉛直上方向に移動し、フレーム当接面との当接が解除され閉鎖状態に至る事で洗濯物を挟持する。
【発明の効果】
【００２０】  請求項１の発明において開放保持器当接面と挟持体当接面の当接を解除するための応力はこれらが互いに接する面に対して垂直に働く応力に対応する摩擦力に対する抗力となり、当該摩擦力は部材を適切に選定する事で摩擦係数を０．３程度にする事ができるため当該垂直に働く応力の３割程度にできる。【００２１】  請求項２の発明において開放保持器当接面とフレーム当接面の当接を解除するための応力はこれらが互いに当接する面に対して垂直に働く応力に対応する摩擦力に対する抗力となり、当該摩擦力は部材を適切に選定する事で摩擦係数を０．３程度にする事ができるため当該垂直に働く応力の３割程度にできる。【００２２】  上記の理由により開放状態を解除するための応力は挟持体の下面に洗濯物を直接押し当てて挟持するための間隙を作る時の応力より格段に小さい。従って物干し竿等に懸架されたハンガーの開放保持器の下側から開放状態を解除するための応力を鉛直方向上向きに与えてもハンガー自体の重量によりハンガーの位置はほとんど影響を受けず安定した状態であるため、ハンガー自体を手指で押さえる必要が無く洗濯物を懸架する事ができるので作業が極めて容易となる。
【図面の簡単な説明】
【００２３】
【図１】挟持体に加わる応力を説明するための側面図である。
【図２】本発明の第１の実施の形態に係わるフレームの一部を断面にし、中を見えるようにした斜視図である。
【図３】本発明の第１の実施の形態に係わる挟持体の斜視図である。
【図４】本発明の第１の実施の形態に係わる挟持体の斜視図である。
【図５】本発明の第１の実施の形態に係わる開放保持器の斜視図である。
【図６】本発明の第１の実施の形態に係わる開放保持器の斜視図である。
【図７】本発明の第１の実施の形態に係わる挟持体と開放保持器が当接する様子を示す側面図である。
【図８】本発明の第１の実施の形態に係わるフレームの一部を断面にし、中を見えるようにした斜視図である。
【図９】本発明の第１の実施の形態に係わるフレームの一部を断面にし、中を見えるようにした斜視図である。
【図１０】本発明の第２の実施の形態に係わる開放保持器の斜視図である。
【図１１】本発明の第２の実施の形態に係わるフレームの一部を断面にし、中を見えるようにした斜視図である。
【図１２】本発明の第２の実施の形態に係わるフレームの一部を断面にし、中を見えるようにした斜視図である。
【図１３】本発明の第３の実施の形態に係わる開放保持器が設置された挟持体の斜視図である。
【図１４】本発明の第３の実施の形態に係わるフレームの一部を断面にし、中を見えるようにした斜視図である。
【図１５】本発明の第３の実施の形態に係わるフレームの一部を断面にし、中を見えるようにした斜視図である。
【図１６】本発明を用いた角形ハンガーの一例を示す斜視図である。
【図１７】本発明の第１の実施の形態に係わる開放保持器の斜視図である。
【発明を実施するための形態】
【００２４】  以下、本発明の第１の実施の形態について、図２から図９に基づいて説明する。図２は複数の挟持体３ａがスライド板１５ａにより連架して設置されているフレーム１ａの端の部分のみを示しておりフレーム１ａの一部を切り欠き断面にして内部を見えるようにした斜視図である。
【００２５】  フレーム１ａに挟持体回転軸１９ａが設置されており図３で示す挟持体３ａの挟持体回転軸穴７ａに嵌合し、挟持体３ａが挟持体回転軸１９ａを中心として回転可動な状態で設置されている。更に挟持体バネ１４ａによりフレーム１ａに形成された固定挟持面２ａとの間隙が狭まる方向に付勢されている。
【００２６】  また挟持体下限規制部５ａにより挟持角度が９０度以上となり挟持力を失う事を防ぐ為に挟持体３ａの可動範囲を規制している。
【００２７】  図５で示す開放保持器当接面９ａを有する開放保持器１０ａの開放保持器回転軸穴１２ａが図２に示すようにフレーム１ａに設けた開放保持器回転軸２０ａに嵌合し開放保持器１０ａが開放保持器回転軸２０ａを中心として回転可動に設置されている。
【００２８】  また開放保持器１０ａの自重により開放保持器下端部２５ａが開放保持器下限規制部２４ａと当接している。
【００２９】  またスライド板１５ａはスライド板支持突起２２ａによりフレーム１ａに対して水平方向に直線可動な状態で設置されている。
【００３０】  スライド板１５ａを図２において左方に引くとスライド板１５ａに設けられた開放レバー押さえ部１６ａが挟持体３ａに設置された開放レバー８ａを左方に引き、挟持体３ａを挟持する方向とは反対の方向に回転させる。
【００３１】  同時に可動挟持面４ａと固定挟持面２ａとの間に間隙が生じると共に挟持体３ａが開放保持器下端部２５ａに当たり開放保持器１０ａを鉛直上方向に一旦押し上げるが、さらに挟持体３ａが回転すると開放保持器１０ａの自重により開放保持器当接面９ａと挟持体当接面６ａが当接し図８で示す状態となる。
【００３２】  このとき開放保持器上限規制突起２３ａは開放支持器下端部２５ａが挟持体３ａに当たった時に、必要以上に開放保持器１０ａが跳ね上がり開放保持器当接面９ａと挟持体当接面６ａの当接ができなくなる状態を避ける機能を有する。
【００３３】  図８に示す開放保持器当接面９ａと挟持体当接面６ａが当接した状態でスライド板１５ａを放すとスライド板バネ１８ａがスライド板バネ押さえ部１７ａに与える応力によりスライド板１５ａは図９に示すように右端に水平移動する。
【００３４】  この状態で洗濯物を開放保持器下端部２５ａに押し当てると開放保持器１０ａが鉛直上方向に移動し、開放保持器当接面９ａと挟持体当接面６ａの当接が解かれる。
【００３５】  同時に挟持体バネ１４ａが挟持体３ａに与える応力により挟持体３ａが時計回り方向に回転し、可動挟持面４ａと固定挟持面２ａとの間の間隙が狭まる過程において洗濯物を挟持して、図２に示す閉鎖状態に戻る。尚、図２では挟持された洗濯物は省いている。
【００３６】  上記の説明では凸状の部分に挟持体当接面６ａを配置している挟持体３ａと開放保持器１０ａを用いた例を示しているが、図４に示す凹状の部分に挟持体当接面６ｄを配置している挟持体３ｄと図６に示す開放保持器１０ｄを組み合わせても良い。図７は挟持体３ｄの挟持体当接面６ｄと開放保持器１０ｄの開放保持器当接面９ｄが当接した状態を示している。
【００３７】  続いて本発明の第２の実施の形態を図１０から図１２に基づいて説明する。図１１で示すようにフレーム１ｂに挟持体回転軸１９ｂが設置されており挟持体３ｂの挟持体回転軸穴７ｂに嵌合し、挟持体３ｂが挟持体回転軸１９ｂを中心として回転可動に設置されており，更に挟持体バネ１４ｂにより可動挟持面４ｂと固定挟持面２ｂとの間隙が狭まる方向に付勢されている。
【００３８】  図１０で示す開放保持器１０ｂは開放保持器ガイド溝２９と図１１に示す開放保持器ガイド２８が嵌合して鉛直方向に可動な状態でフレーム１ｂに設置されており、挟持体３ｂが閉鎖状態にある時は開放保持器１０ｂの自重により可動範囲の下限に位置している。
【００３９】  図１１においてスライド板１５ｂを左方に引くとスライド板１５ｂに設けられた開放レバー押さえ部１６ｂが挟持体３ｂに設置された開放レバー８ｂを左方に引き挟持体３ｂを反時計方向に回転させ可動挟持面４ｂと固定挟持面２ｂとの間に間隙が生じると共に挟持体３ｂの先端部が開放保持器１０ｂを一旦押し上げ、更にスライド板１５ｂを左方に引くと挟持体３ｂと開放保持器１０ｂとの間に間隙が生じて開放保持器１０ｂは自重により可動範囲の下限に移動する。
【００４０】  この状態でスライド板１５ｂを放すとスライド板バネ１８ｂがスライド板バネ押さえ部１７ｂに与える応力によりスライド板１５ｂは図１２に示すように右端に水平移動するが挟持体当接面６ｂと開放保持器当接面９ｂが当接した状態となるため挟持体３ｂは開放状態を維持し続ける。
【００４１】  この状態で洗濯物を開放保持器下端部２５ｂに押し当てると開放保持器１０ｂが鉛直上方向に移動し、挟持体当接面６ｂと開放保持器当接面９ｂの当接が解除され挟持体バネ１４ｂが挟持体３ｂに与える応力により挟持体３ｂが時計回り方向に回転し、可動挟持面４ｂと固定挟持面２ｂとの間隙が狭まる過程において洗濯物を挟持して、図１１に示す閉鎖状態に戻る。
【００４２】  続いて本発明の第３の実施の形態を図１３から図１５に基づいて説明する。図１４で示すようにフレーム１ｃに挟持体回転軸１９ｃが設置されており図１３に示す挟持体回転軸穴７ｃに嵌合して挟持体３ｃが挟持体回転軸１９ｃを中心として回転可動に設置されており，更に挟持体バネ１４ｃにより可動挟持面４ｃと固定挟持面２ｃとの間隙が狭まる方向に付勢されている。
【００４３】  また図１３に示すように挟持体３ｃの先端部には開放保持器１０ｃが開放保持器回転軸２０ｃを中心として回転可動に設置されている。
【００４４】  図１４においてスライド板１５ｃを左方に引くとスライド板１５ｃに設けられた開放レバー押さえ部１６ｃが挟持体３ｃに設置された開放レバー８ｃを左方に引き挟持体３ｃを反時計方向に回転させる。
【００４５】  挟持体３ｃの前記の回転に伴い可動挟持面４ｃと固定挟持面２ｃとの間に間隙が生じると同時に開放保持器１０ｃは自重により開放保持器回転軸２０ｃを中心に時計方向に回転し、開放保持器１０ｃの先端部に形成された開放保持器下限規制突起部２７と開放保持器下限規制部２４ｃとが互いに当接して開放状態になる。
【００４６】  この状態でスライド板１５ｃを放すとスライド板バネ１８ｃがスライド板バネ押さえ部１７ｃに与える応力によりスライド板１５ｃは図１５に示す様に右端に水平移動するが開放保持器１０ｃに形成された開放保持器当接面９ｃとフレームに形成されたフレーム当接面１１とが互いに当接するため挟持体３ｃは開放状態を維持し続ける。
【００４７】  この状態で洗濯物を開放保持器下端部２５ｃに押し当てると、開放保持器当接面９ｃとフレーム当接面１１の当接が解かれて、挟持体バネ１４ｃが挟持体３ｃに与える応力により挟持体３ｃが時計回り方向に回転し、同時に可動挟持面４ｃと固定挟持面２ｃとの間隙が狭まる過程において洗濯物を挟持して、図１４に示す閉鎖状態に戻る。
【００４８】  以上に述べた各実施の形態を用いてハンガーを構成することができる。例えば図１６には４個のフレーム部３０を用いて構成された角形ハンガーを示している。フレーム部３０は第１の実施の形態で示したフレーム１ａに５個の挟持体３ａを設置してあり、開放操作部３３がスライド板１５ａの端部に立設されている。開放操作部３３を引く事によりスライド板１５ａに連架された５個の開放レバー８ａが引かれ、一括して開放状態に移行させる事ができる。
【００４９】  またフレーム部３０は連結部材３１で接続され、さらに連結部材３１に接続されたフック部３２を備えている。このフック部３２を物干し竿等に引っ掛けることでハンガーを懸架できるようになっている。
【００５０】  以上のように本発明によれば挟持体の開閉操作が極めて容易となり、洗濯物の取り付け及び取り外しの作業時間を大幅に低減することが可能な物干しハンガーを提供できる。
【００５１】  なお、本発明の技術範囲は以上に述べた各実施の形態に限定されるものではなく、本発明の趣旨を逸脱しない範囲において種々の変更を加えることが可能である。例えば第１の実施の形態では開放保持器１０ａの自重により開放保持器当接面９ａと挟持体当接面６ａが当接するとしているが開放保持器をバネ等により付勢しても良い。
【００５２】  また第１の実施の形態では開放保持器１０ａは開放保持器回転軸１９ａにより回転可動に設置されているが図１７に示す開放保持器１０ｅの支持部１３をフレームに立設し、弾性を有する梁状部２６の屈曲により開放保持器１０ｅが可動するようにしても良い。
【００５３】  また各実施の形態では固定挟持面は鉛直方向と平行に図示しているが鉛直方向に一致する必要は無く、数度から数十度程度の傾きを持たせて開放状態での可動挟持面と固定挟持面との間隙を広くして洗濯物を開放保持器に当て易くしても良い。
【符号の説明】
【００５４】  １    フレーム
１ａ  フレーム
１ｂ  フレーム
１ｃ  フレーム
２    固定挟持面
２ａ  固定挟持面
２ｂ  固定挟持面
２ｃ  固定挟持面
３    挟持体
３ａ  挟持体
３ｂ  挟持体
３ｃ  挟持体
３ｄ  挟持体
４    可動挟持面
４ａ  可動挟持面
４ｂ  可動挟持面
４ｃ  可動挟持面
４ｄ  可動挟持面
５ａ  挟持体下限規制部
５ｂ  挟持体下限規制部
５ｃ  挟持体下限規制部
６ａ  挟持体当接面
６ｂ  挟持体当接面
７ａ  挟持体回転軸穴
７ｂ  挟持体回転軸穴
７ｃ  挟持体回転軸穴
７ｄ  挟持体回転軸穴
８ａ  開放レバー
８ｂ  開放レバー
８ｃ  開放レバー
８ｄ  開放レバー
９ａ  開放保持器当接面
９ｂ  開放保持器当接面
９ｃ  開放保持器当接面
９ｄ  開放保持器当接面
９ｅ  開放保持器当接面
１０ａ  開放保持器
１０ｂ  開放保持器
１０ｃ  開放保持器
１０ｄ  開放保持器
１０ｅ  開放保持器
１１    フレーム当接面
１２ａ  開放保持器回転軸穴
１２ｄ  開放保持器回転軸穴
１３    支持部
１４ａ  挟持体バネ
１４ｂ  挟持体バネ
１４ｃ  挟持体バネ
１５ａ  スライド板
１５ｂ  スライド板
１５ｃ  スライド板
１６ａ  開放レバー押さえ部
１６ｂ  開放レバー押さえ部
１６ｃ  開放レバー押さえ部
１７ａ  スライド板バネ押さえ部
１７ｂ  スライド板バネ押さえ部
１７ｃ  スライド板バネ押さえ部
１８ａ  スライド板バネ
１８ｂ  スライド板バネ
１８ｃ  スライド板バネ
１９ａ  挟持体回転軸
１９ｂ  挟持体回転軸
１９ｃ  挟持体回転軸
２０ａ  開放保持器回転軸
２０ｃ  開放保持器回転軸
２１ａ  スライド板バネ支持突起
２１ｂ  スライド板バネ支持突起
２１ｃ  スライド板バネ支持突起
２２ａ  スライド板支持突起
２２ｂ  スライド板支持突起
２２ｃ  スライド板支持突起
２３ａ  開放保持器上限規制突起
２３ｃ  開放保持器上限規制突起
２４ａ  開放保持器下限規制部
２４ｃ  開放保持器下限規制部
２５ａ  開放保持器下端部
２５ｂ  開放保持器下端部
２５ｃ  開放保持器下端部
２５ｄ  開放保持器下端部
２５ｅ  開放保持器下端部
２６    梁状部
２７    開放保持器下限規制突起部
２８    開放保持器ガイド
２９    開放保持器ガイド溝
３０    フレーム部
３１    連結部
３２    フック部
３３    開放操作部
【図１】
2014200651.tif 000003
【図２】
2014200651.tif 000004
【図３】
2014200651.tif 000005
【図４】
2014200651.tif 000006
【図５】
2014200651.tif 000007
【図６】
2014200651.tif 000008
【図７】
2014200651.tif 000009
【図８】
2014200651.tif 000010
【図９】
2014200651.tif 000011
【図１０】
2014200651.tif 000012
【図１１】
2014200651.tif 000013
【図１２】
2014200651.tif 000014
【図１３】
2014200651.tif 000015
【図１４】
2014200651.tif 000016
【図１５】
2014200651.tif 000017
【図１６】
2014200651.tif 000018
【図１７】
2014200651.tif 000019